(57)【要約】【課題】  骨盤の歪みを矯正するのに要する十分な運動即ち腰部の中央部自体をも立体的に動かす運動を行うことができる骨盤位置矯正運動機器を提供する。【解決手段】  利用者の上半身部、腰部及び下半身部が、それぞれ載せられる第１台部１１、第２台部１２及び第３台部１３を設け、第２台部１２は、そのテーブル１４を上記利用者の身長方向、左右方向及び上下方向へ、駆動機構部１５からの駆動力により平行移動される３次元稼動テーブル装置で構成した。【選択図】        図１
2009183351.tif 000002
【特許請求の範囲】
【請求項１】
それぞれ所定間隔を空けて連設されており、仰向け状態の利用者の上半身部（腰部に属する部分を除く。以下において同じ）、腰部及び下半身部（腰部に属する部分を除く。以下において同じ）が、それぞれ載せられる第１台部、第２台部及び第３台部からなる載台部と、
スイッチ入力を受け、後述の３次元稼動テーブル装置を、選択された態様で駆動する駆動制御部とを備え、
上記載台部の第２台部は、
上記利用者の腰部の下に敷かれ該腰部を支える腰部台座と、
当該腰部台座が上面に載置されるテーブルを持ち、上記駆動制御部の制御の下に、当該テーブルを、その上面を水平に保ちながら上記利用者の身長方向、左右方向及び上下方向の３軸方向へ選択的に移動していく上記３次元稼動テーブル装置とを有していることを特徴とする骨盤位置矯正運動機器。
【請求項２】
それぞれ所定間隔を空けて連設されており、仰向け状態の利用者の上半身部、腰部及び下半身部が、それぞれ載せられる第１台部、第２台部及び第３台部からなる載台部と、
スイッチ入力を受け、後述の２方向稼動テーブル装置を選択された態様で駆動する駆動制御部とを備え、
上記載台部の第２台部は、
上記利用者の腰部の下に敷かれ該腰部を支える腰部台座と、
当該腰部台座が上面に載置されるテーブルを持ち、上記駆動制御部の制御の下に、当該テーブルを、その上面を水平に保ちながら上記利用者の左右方向及び上下方向の２軸方向へ選択的に移動していく上記２方向稼動テーブル装置とを有していることを特徴とする骨盤位置矯正運動機器。
【請求項３】
上記腰部台座は、低反発マット、板状スポンジ又は温感ヒーターからなることを特徴とする請求項１又は２記載の骨盤位置矯正運動機器。
【請求項４】
上記第２台部には、利用者の腰部を当該第２台部の上に固定するためのベルトが取付けられていることを特徴とする請求項１、２又は３記載の骨盤位置矯正運動機器。
【請求項５】
上記第１台部上に載置されて、上記利用者の頭部又は頭部を含む上半身部がその上面に直接的に載せられる板状スライダーと当該板状スライダーの下方にあり、これを支える下側基体部とからなる頭部側スライダー構造盤と、
上記第３台部上に載置されて、上記利用者の足部又は足部を含む下半身部がその上面に直接的に載せられる板状スライダーと当該板状スライダーの下方にあり、これを支える下側基体部とからなる足部側スライダー構造盤とを備え、
駆動信号を受け、上記頭部側スライダー構造盤及び上記足部側スライダー構造盤の何れの板状スライダーも、それぞれその下側基体部上で、上記３次元稼動テーブル装置又は上記２方向稼動テーブル装置のテーブルの前記左右方向の移動に同期して、同一の向きに当該移動の距離の所定割合の距離を移動するようにしたことを特徴とする請求項１、２、３又は４記載の骨盤位置矯正運動機器。
【発明の詳細な説明】
【技術分野】
【０００１】
本発明は、利用者の腰部を強制的に動かして骨盤の位置を矯正する骨盤位置矯正運動機器に係り、特に、腰部の中心部を立体的に動かすものに関する。
【背景技術】
【０００２】
骨盤の歪みは健康上の各種不都合をもたらすが、該歪みを矯正して体調回復するためには、腰部一帯を強制的に動かして、この際の運動により骨盤近辺を柔軟化するのが有効といわれている。このような観点から、従来、腰部一帯を強制的に左右に振る金魚運動用運動機器等の提案がなされてきた。
【０００３】
【特許文献１】特開平８−５７０８２号
【特許文献２】特開２００２−２７２８７５号
【発明の開示】
【発明が解決しようとする課題】
【０００４】
ところで、上記のような従来から提案されてきた骨盤等の歪み矯正用運動機器は、何れも骨盤近くの一帯を、その略中央部を中心にして（即ちこの部分を支点のようにして）一方向にだけ振るものであり、骨盤近辺を柔軟化しその歪みを矯正するという骨盤矯正効果が十分なものではなかった。
本願発明は、上記のような事情に鑑みてなされたものであり、骨盤近辺を柔軟化してその歪みを矯正できる十分な運動即ち腰部の中央部自体をも立体的に動かす運動をできる骨盤位置矯正運動機器の提供を目的としている。
【課題を解決するための手段】
【０００５】
請求項１の発明では、骨盤位置矯正運動機器を以下のように構成した。
すなわち、それぞれ所定間隔を空けて連設されており、仰向け状態の利用者の上半身部、腰部及び下半身部が、それぞれ載せられる第１台部、第２台部及び第３台部からなる載台部と、
スイッチ入力を受け、後述の３次元稼動テーブル装置を選択された態様（例えば、上記利用者の身長方向に直交する平面内での円運動、当該利用者の左右方向への直線往復運動或いは当該利用者の上下方向への直線往復運動等）で駆動する駆動制御部とを備え、
上記載台部の第２台部は、
上記利用者の腰部の下に敷かれ該腰部を支える腰部台座と、
当該腰部台座が上面に載置されるテーブルを持ち、上記駆動制御部の制御の下に、当該テーブルを、その上面を水平に保ちながら上記利用者の身長方向、左右方向及び上下方向の３軸方向へ選択的に移動していく上記３次元稼動テーブル装置とを有している構成にした。
【０００６】
請求項２の発明では、骨盤位置矯正運動機器を以下のように構成した。
すなわち、それぞれ所定間隔を空けて分離されて連設されており、仰向け状態の利用者の上半身部、腰部及び下半身部が、それぞれ載せられる第１台部、第２台部及び第３台部からなる載台部と、
スイッチ入力を受け、後述の２方向稼動テーブル装置を選択された態様（例えば、上記利用者の身長方向に直交する平面内での円運動、当該利用者の左右方向への直線往復運動或いは当該利用者の上下方向への直線往復運動等）で駆動する駆動制御部とを備え、
上記載台部の第２台部は、
上記利用者の腰部の下に敷かれ該腰部を支える腰部台座と、
当該腰部台座が上面に載置されるテーブルを持ち、上記駆動制御部の制御の下に、当該テーブルを、その上面を水平に保ちながら上記利用者の左右方向及び上下方向の２軸方向へ選択的に移動していく上記２方向稼動テーブル装置とを有している構成にした。
【０００７】
請求項３の発明では、請求項１又は２記載の骨盤位置矯正運動機器の腰部台座を低反発マット、板状スポンジ又は温感ヒーターからなるようにした。
【０００８】
請求項４の発明では、請求項１、２又は３記載の骨盤位置矯正運動機器の第２台部に、利用者の腰部を当該第２台部の上に固定するためのベルトを取付けた。
【０００９】
請求項５の発明では、請求項１、２、３又は４記載の骨盤位置矯正運動機器に、
上記第１台部上に載置されて、上記利用者の頭部又は頭部を含む上半身部がその上面に直接的に載せられる板状スライダーと当該板状スライダーの下方にあり、これを支える下側基体部とからなる頭部側スライダー構造盤と、
上記第３台部上に載置されて、上記利用者の足部又は足部を含む下半身部がその上面に直接的に載せられる板状スライダーと当該板状スライダーの下方にあり、これを支える下側基体部とからなる足部側スライダー構造盤とを追加し、
駆動信号を受け、上記頭部側スライダー構造盤及び上記足部側スライダー構造盤の何れの板状スライダーも、それぞれその下側基体部上で、上記３次元稼動テーブル装置又は上記２方向稼動テーブル装置のテーブルの前記左右方向への移動（即ち移動の左右方向成分）に同期して、同一の向きに当該移動の距離の所定割合の距離を水平移動するようにした。
【発明の効果】
【００１０】
以上詳述したように、本願発明によると、骨盤の歪みを矯正するのに要する十分な運動即ち腰部の中央部自体をも立体的に動かす運動をできる骨盤位置矯正運動機器の提供を可能とする。
【発明を実施するための最良の形態】
【００１１】
以下、図面に基づいて本発明を実施するための最良の実施の形態を説明する。図１は、本実施の形態の構成を利用者と関係付けて示すものである。当該図１において、符号１０が付されているのは、利用者がその上に仰向けに横になる載台部である。この載台部１０は、当該利用者の上半身部、腰部及び下半身部が、それぞれ載せられる第１台部１１、第２台部１２及び第３台部１３からなり、それぞれ所定間隔を空けて連設されている。第１台部１１及び第３台部１３は、同図に示すように、それぞれ４本の脚を有する同じ高さの机状のものになっている。
【００１２】
第２台部１２は、低反発マット１４ａが上面に貼着されているテーブル１４を有し、該テーブル１４を、その上面を水平に保ちながら、上記利用者の身長方向（以下、Ｘ方向という）、左右方向（以下、Ｙ方向という）及び上下方向（以下、Ｚ方向という）へ内蔵の駆動機構部１５からの駆動力により移動される公知の３次元稼動テーブル装置となっている。
上記駆動機構部１５は、それぞれモーターにより回転力が与えられ上記Ｘ、Ｙ、Ｚ方向に平行な３本の滑りネジ及びそれらに螺合する滑りナットの組合せにより、構成されており、上記各モーターへ順次与えられる駆動信号の組合せによりテーブル１４の上記の様な移動が実現される。このようなテーブル１４の移動は、ガイドの役目をするレールと、そのレール上を移動するときにその移動方向と直角方向にも移動する車との組合せでも実現される。そのような観点からは、今回の上記駆動機構部１５を用いての駆動方式は、上記機械的方法での駆動を電気的制御により仮想的に実現した３次元仮想レール方式での駆動ともいえる。
【００１３】
駆動制御部２０は、電源コード２１を介して電源が与えられ、図示しないスイッチを操作して所定駆動態様（例えば、上記利用者の身長方向に直交する平面内での円運動及びその円の半径）が指示されたときに、その駆動態様での駆動を実現するための駆動信号を、ケーブル２２を介して順次上記駆動機構部１５の各モーターに送り、それらを駆動する回路部である。
【００１４】
次に、以上のように構成された上記実施の形態の動作について説明する。先ず、利用者は図１に示すように、上半身部、腰部及び下半身部を、それぞれ第１台部１１、第２台部１２及び第３台部１３上に載せて仰向けになる。そして、この状態で、電源コード２１を介して電源が供給されている駆動制御部２０の図示しない特定のスイッチが操作されて、例えば、利用者が、横になっているままで、プラフープ運動をするようにしたときは、次のようになる。即ち駆動制御部２０からは、内蔵のプログラムに基づき、テーブル１４をＹ方向及びＺ方向に移動するモーターへ所定の駆動信号が順次送られていき、これによりテーブル１４は利用者を輪切りにしたときの切断面に平行な面内で円運動をすることになる。この円運動に伴い上記利用者の腰部即ち骨盤部も円運動をし、プラフープをしたときのような運動をすることになる。
また、駆動制御部２０からテーブル１４をＸ方向及びＺ方向に移動するモーターに所定の駆動信号が内蔵の所定プログラムに基づき順次送られていったときには、テーブル１４は利用者の中心線を含む鉛直面に平行な面内で円運動をすることになる。これに伴い上記利用者の腰部即ち骨盤部も上記鉛直面に平行な面内での円運動をすることになる。
なお、本願発明の範囲は、上記実施の形態に限定されず、種々変形応用が可能である。例えば、上記実施の形態では、第２台部１２に公知の３次元稼動テーブル装置を用いたが、骨盤矯正運動として上記フラフープ運動のように、利用者を輪切りにしたときの切断面に平行な面内だけでの運動をする場合には、テーブルをＹ方向、Ｚ方向だけに移動する２方向稼動テーブル装置としても良いことは無論である。
また、第１台部１１上に、上記利用者の頭部又は頭部を含む上半身部がその上面に直接的に載せられる板状スライダーと当該板状スライダーの下方にあり、これを支える下側基体部とからなる頭部側スライダー構造盤を載置すると共に、
第３台部１３上に、上記利用者の足部又は足部を含む下半身部がその上面に直接的に載せられる板状スライダーと当該板状スライダーの下方にあり、これを支える下側基体部とからなる足部側スライダー構造盤を載置して、
駆動制御部２０からの駆動信号を受け、上記頭部側スライダー構造盤及び上記足部側スライダー構造盤の何れの板状スライダーも、それぞれその下側基体部上で、上記３次元稼動テーブル装置又は上記２方向稼動テーブル装置のテーブルの前記左右方向への移動（即ち移動の左右方向成分）に同期して、同一の向きに当該移動の距離の所定割合の距離を水平移動する（例えば、上記所定割合を３０パーセントとすると、テーブルの移動の左右方法成分が右側への１０センチメートルのときには、両板状スライダーは右側に３センチメートルだけ水平移動する）ようにしてもよい。このようにしたときは、上記両板状スライダーの移動は、上記テーブルの移動をある程度相殺することになり、利用者の腰部に与える影響が軽減されて、多様なレベルでの骨盤矯正運動が可能になる。
【産業上の利用可能性】
【００１５】
本願発明は、骨盤の歪みを矯正する運動を行う際に用いる骨盤位置矯運動機器を製造する産業において利用される可能性がある。
【図面の簡単な説明】
【００１６】
【図１】本願発明の一実施の形態の構成を利用者との関係で示す図である。
【符号の説明】
【００１７】
１０  載台部
１１  第１台部
１２  第２台部
１３  第３台部
１４  テーブル
１５  駆動機構部
２０  駆動制御部
【図１】
2009183351.tif 000003